(57)【要約】【課題】外部機器に対する動作指示の操作性を向上させることができる出力装置及びネットワークシステムを提供する。【解決手段】テレビジョン受像機１００のＣＰＵは、外部機器から受信した動作状態情報に基づいて状態情報を記憶部の動作状態テーブルに記憶する。記憶部の動作指示選択テーブルには、外部機器の動作状態と、選択可能な動作指示内容とを対応付けて記憶する。ＣＰＵは、複数の外部機器から何れかが選択されると、記憶部の記憶情報に基づいて当該外部機器の動作状態を特定する。そして、ＣＰＵは、特定された外部機器の動作状態に基づいて、記憶部の動作指示選択テーブルに記憶された選択可能な動作指示を選択し、選択した動作指示内容をユーザに認識可能に出力する。ＣＰＵは、ＴＶリモコン２の操作により何れかの動作指示を決定し、選択された外部機器に対して選択された動作指示内容を示すコマンドをＨＤＭＩ入力端子により送信する。【選択図】図１
2011061487.tif 000002
【特許請求の範囲】
【請求項１】
複数の外部機器とＨＤＭＩ通信接続される出力装置において、
前記外部機器からの映像及び／又は音声信号を受信する信号受信手段と、
前記信号受信手段によって受信した映像及び／又は音声信号に基づいて映像及び／又は音声の出力を行う出力手段と、
前記外部機器から送信元の外部機器の動作状態を示す動作状態情報を受信する動作状態情報受信手段と、
前記動作状態情報受信手段によって受信された動作状態情報に基づいて、外部機器毎の動作状態を示す状態情報を更新記憶する状態情報記憶手段と、
前記外部機器の動作状態と、選択可能な動作指示内容とを対応付けて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報をユーザに対して認識可能に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備えたことを特徴とする出力装置。  
【請求項２】
前記選択可能情報出力制御手段は、前記指示内容選択手段によって選択された動作指示内容を示す情報を前記出力手段に出力することを特徴とする請求項１に記載の出力装置。
【請求項３】
前記外部機器から送信元の外部機器を特定するための機器信号を受信する機器信号受信手段を備え、
前記指示内容選択手段は、前記機器信号受信手段によって受信した機器信号に基づいて、選択可能な動作指示内容を選択することを特徴とする請求項１又は２に記載の出力装置。
【請求項４】
複数の外部機器とＨＤＭＩ通信接続される出力装置において、
前記外部機器からの映像及び／又は音声信号を受信する信号受信手段と、
前記信号受信手段によって受信した映像及び／又は音声信号に基づいて映像及び／又は音声の出力を行う出力手段と、
前記外部機器から送信元の外部機器を特定するための機器信号を受信する機器信号受信手段と、
前記外部機器から送信元の外部機器の動作状態を示す動作状態情報を受信する動作状態情報受信手段と、
前記動作状態情報受信手段によって受信された動作状態情報に基づいて、外部機器毎の動作状態を示す状態情報を更新記憶する状態情報記憶手段と、
各外部機器の動作状態と、選択可能な動作指示内容とを対応づけて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記機器信号受信手段によって受信した機器信号及び前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報を前記出力手段に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備え、
前記出力手段は、前記指示内容選択手段によって選択された動作指示内容を示す情報の出力を行うことを特徴とする出力装置。
【請求項５】
複数の外部機器と、出力装置とがＨＤＭＩ通信接続されて構成されたネットワークシステムにおいて、
前記外部機器は、
映像及び／又は音声信号を送信する信号送信手段と、
現在の動作状態を示す動作状態情報を送信する動作状態情報送信手段と、を備え、
前記出力装置は、
前記外部機器からの映像及び／又は音声信号を受信する信号受信手段と、
前記信号受信手段によって受信した映像及び／又は音声信号に基づいて映像及び／又は音声の出力を行う出力手段と、
前記動作状態情報を受信する動作状態情報受信手段と、
前記動作状態情報受信手段によって受信された動作状態情報に基づいて、外部機器毎の動作状態を示す状態情報を更新記憶する状態情報記憶手段と、
各外部機器の動作状態と、選択可能な動作指示内容とを対応付けて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報をユーザに対して認識可能に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備え、
前記外部機器は、前記動作コマンド送信手段によって送信された動作コマンドを受信したときに、該受信した動作コマンドに対応する動作を行うことを特徴とするネットワークシステム。
【請求項６】
前記選択可能情報出力制御手段は、前記指示内容選択手段によって選択された動作指示内容を示す情報を前記出力手段に出力することを特徴とする請求項５に記載のネットワークシステム。
【請求項７】
前記外部機器は、当該機器を特定するための機器信号を送信する機器信号送信手段を備え、
前記出力装置は、前記機器信号送信手段によって送信された機器信号を受信する機器信号受信手段を備え、
前記指示内容選択手段は、前記機器信号受信手段によって受信した機器信号に基づいて、選択可能な動作指示内容を選択することを特徴とする請求項５又は６に記載のネットワークシステム。
【発明の詳細な説明】
【技術分野】
【０００１】
本発明は、記録再生装置等の外部機器と接続されるテレビジョン受像機等の出力装置及びネットワークシステムに関する。
【背景技術】
【０００２】
従来のテレビジョン受像機等の出力装置には、例えば、ＨＤＭＩ（High-Definition Multimedia Interface）規格等の通信により、ソースを供給する外部機器と接続してネットワークを構築し、出力装置は、この外部機器より機器の状態情報を取得し、これを表示するものがあった。また、この出力装置は、外部機器に対して記録動作を要求するなど、所定のコマンドを送信することもできるので、出力装置における操作にてネットワーク上の機器に対する動作指示を行うことができ、大変便利なものである（特許文献１）。
【先行技術文献】
【特許文献】
【０００３】
【特許文献１】特開２００８−０８５７０３号公報
【発明の概要】
【発明が解決しようとする課題】
【０００４】
しかしながら、上記特許文献に開示された出力装置では、ただ動作状態を表示するのみであったため、ユーザは、表示された動作状態を見てユーザ自身によって有効な動作指示を判断し、各機器の動作指示行わなければならない。よって、ユーザは、動作状態に応じた適切な動作指示がわからない場合があり、ユーザにとって扱い難いものであった。
【０００５】
本発明の課題は、外部機器に対する動作指示の操作性を向上させることができる出力装置及びネットワークシステムを提供することである。
【課題を解決するための手段】
【０００６】
以上の課題を解決するため、請求項１に記載の発明は、複数の外部機器とＨＤＭＩ通信接続される出力装置において、
前記外部機器からの映像及び／又は音声信号を受信する信号受信手段と、
前記信号受信手段によって受信した映像及び／又は音声信号に基づいて映像及び／又は音声の出力を行う出力手段と、
前記外部機器から送信元の外部機器の動作状態を示す動作状態情報を受信する動作状態情報受信手段と、
前記動作状態情報受信手段によって受信された動作状態情報に基づいて、外部機器毎の動作状態を示す状態情報を更新記憶する状態情報記憶手段と、
前記外部機器の動作状態と、選択可能な動作指示内容とを対応付けて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報をユーザに対して認識可能に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備えたことを特徴とする。
【０００７】
請求項２に記載の発明は、請求項１に記載の出力装置において、
前記選択可能情報出力制御手段は、前記指示内容選択手段によって選択された動作指示内容を示す情報を前記出力手段に出力することを特徴とする。
【０００８】
請求項３に記載の発明は、請求項１又は２に記載の出力装置において、
前記外部機器から送信元の外部機器を特定するための機器信号を受信する機器信号受信手段を備え、
前記指示内容選択手段は、前記機器信号受信手段によって受信した機器信号に基づいて、選択可能な動作指示内容を選択することを特徴とする。
【０００９】
請求項４に記載の発明は、複数の外部機器とＨＤＭＩ通信接続される出力装置において、
前記外部機器からの映像及び／又は音声信号を受信する信号受信手段と、
前記信号受信手段によって受信した映像及び／又は音声信号に基づいて映像及び／又は音声の出力を行う出力手段と、
前記外部機器から送信元の外部機器を特定するための機器信号を受信する機器信号受信手段と、
前記外部機器から送信元の外部機器の動作状態を示す動作状態情報を受信する動作状態情報受信手段と、
前記動作状態情報受信手段によって受信された動作状態情報に基づいて、外部機器毎の動作状態を示す状態情報を更新記憶する状態情報記憶手段と、
各外部機器の動作状態と、選択可能な動作指示内容とを対応づけて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記機器信号受信手段によって受信した機器信号及び前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報を前記出力手段に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備え、
前記出力手段は、前記指示内容選択手段によって選択された動作指示内容を示す情報の出力を行うことを特徴とする。
【００１０】
請求項５に記載の発明は、複数の外部機器と、出力装置とがＨＤＭＩ通信接続されて構成されたネットワークシステムにおいて、
前記外部機器は、
映像及び／又は音声信号を送信する信号送信手段と、
現在の動作状態を示す動作状態情報を送信する動作状態情報送信手段と、を備え、
前記出力装置は、
前記外部機器からの映像及び／又は音声信号を受信する信号受信手段と、
前記信号受信手段によって受信した映像及び／又は音声信号に基づいて映像及び／又は音声の出力を行う出力手段と、
前記動作状態情報を受信する動作状態情報受信手段と、
前記動作状態情報受信手段によって受信された動作状態情報に基づいて、外部機器毎の動作状態を示す状態情報を更新記憶する状態情報記憶手段と、
各外部機器の動作状態と、選択可能な動作指示内容とを対応付けて示す指示内容情報を記憶する指示内容記憶手段と、
ＨＤＭＩ通信接続されている複数の外部機器から何れかを選択する外部機器選択手段と、
前記外部機器選択手段によって選択された外部機器の動作状態を、前記状態情報記憶手段に記憶された状態情報から特定する動作状態特定手段と、
前記動作状態特定手段によって特定された外部機器の動作状態に基づいて、選択可能な動作指示内容を前記指示内容記憶手段に記憶された指示内容情報から選択する指示内容選択手段と、
前記指示内容選択手段によって選択された動作指示内容を示す情報をユーザに対して認識可能に出力する選択可能情報出力制御手段と、
ユーザによる操作が可能な操作手段と、
前記操作手段による操作に基づいて、前記指示内容選択手段によって選択された動作指示内容から何れかを決定する指示内容決定手段と、
前記指示内容決定手段によって決定された動作指示内容を示す動作コマンドを前記外部機器選択手段によって選択された外部機器に対して送信する動作コマンド送信手段と、を備え、
前記外部機器は、前記動作コマンド送信手段によって送信された動作コマンドを受信したときに、該受信した動作コマンドに対応する動作を行うことを特徴とする。
【００１１】
請求項６に記載の発明は、請求項５に記載のネットワークシステムにおいて、
前記選択可能情報出力制御手段は、前記指示内容選択手段によって選択された動作指示内容を示す情報を前記出力手段に出力することを特徴とする。
【００１２】
請求項７に記載の発明は、請求項５又は６に記載のネットワークシステムにおいて、
前記外部機器は、当該機器を特定するための機器信号を送信する機器信号送信手段を備え、
前記出力装置は、前記機器信号送信手段によって送信された機器信号を受信する機器信号受信手段を備え、
前記指示内容選択手段は、前記機器信号受信手段によって受信した機器信号に基づいて、選択可能な動作指示内容を選択することを特徴とする。
【発明の効果】
【００１３】
本発明によれば、外部機器に対する動作指示の操作性を向上させることができる出力装置及びネットワークシステムを提供することができる。
【図面の簡単な説明】
【００１４】
【図１】本発明に係るＡＶシステムを表すシステムブロック図である。
【図２】本発明に係るテレビジョン受像機の要部構成を示すブロック図である。
【図３】テレビジョン受像機において実行されるプログラムのフローチャートである。
【図４】テレビジョン受像機において記憶されているテーブルを表す図である。
【図５】テレビジョン受像機及び外部機器において実行される処理のシーケンスを表す図である。
【図６】テレビジョン受像機及び外部機器において実行される処理のシーケンスを表す図である。
【図７】テレビジョン受像機及び外部機器において実行される処理のシーケンスを表す図である。
【図８】テレビジョン受像機及び外部機器において実行される処理のシーケンスを表す図である。
【図９】テレビジョン受像機の映像表示部に表示される画像を表す図である。
【図１０】テレビジョン受像機の映像表示部に表示される画像を表す図である。
【図１１】テレビジョン受像機の映像表示部に表示される画像を表す図である。
【図１２】本発明に係るテレビジョン受像機及び外部機器において実行される処理のシーケンスを表す図である。
【図１３】本発明に係るテレビジョン受像機において記憶されるテーブルを表す図である。
【図１４】本発明に係るテレビジョン受像機において記憶されるテーブルを表す図である。
【図１５】本発明に係る動作指示内容を表すリストを説明する図である。
【図１６】本発明に係るテレビジョン受像機の映像表示部に表示される画像を表す図である。
【図１７】本発明に係るテレビジョン受像機の映像表示部に表示される画像を表す図である。
【発明を実施するための形態】
【００１５】
以下、本発明の実施の形態について図面を参照しながら説明する。なお、発明の範囲は図示例に限定されない。
【００１６】
図１に示すように、本発明の実施の形態に係るＡＶシステムは、例えば、出力装置としてのテレビジョン受像機１００と、外部機器としてのＡＶアンプ２００と、ＨＤＭＩセレクタ３００と、ＣＤ（Compact Disk）プレーヤ４００と、ＤＶＤ（Digital Versatile Disk）プレーヤ５００と、ＢＤ（Blu-ray Disk）レコーダ６００と、ＳＴＢ（Set Top Box）７００とを備えて構成され、これらの機器は互いにＨＤＭＩ通信接続されている。
【００１７】
テレビジョン受像機１００は、本体部１と、ＴＶリモコン２を有している。
本体部１は、詳しくは後述するが、アンテナを介して受信したデジタル放送データを所定の処理により変換し、変換されたデジタル放送データを映像出力及び音声出力することによってデジタル放送の視聴が可能となっている。
また、本体部１は、ＨＤＭＩ入力端子１４ａを介してＡＶアンプ２００とＨＤＭＩ通信接続されている。
操作手段として機能するＴＶリモコン２は、ユーザが本体部１に対して各種指示を入力するための複数のキーを備える。具体的には、ＴＶリモコン２は、例えば、ユーザが本体部１の電源をオン／オフする際に操作される。
ＴＶリモコン２に備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、本体部１の前面パネルに設けられたリモコン受信部１９において受信される。
【００１８】
ＡＶアンプ２００は、２つのスピーカ２０１と、４つのＨＤＭＩ端子２０２とを備えている。
ＡＶアンプ２００は、ＨＤＭＩ端子２０２を介し、テレビジョン受像機１００と、ＨＤＭＩセレクタ３００と、ＢＤレコーダ６００と、ＳＴＢ７００とＨＤＭＩ通信接続されている。
このようにして構成されたＡＶアンプ２００は、ユーザによって図示しない操作部にて選択操作が行われることにより、選択されたＨＤＭＩ端子２０２からの映像・音声データの入力を許可する。そして、ＡＶアンプ２００は、入力した音声データを変換・増幅してスピーカ２０１から音声を出力する。また、ＡＶアンプ２００は、信号送信手段として機能して、入力した映像・音声データを、ＨＤＭＩ端子２０２ａを介してテレビジョン受像機１００に出力する。
また、ＡＶアンプ２００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＡＶアンプ２００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＡＶアンプ２００は、後述するように、動作状態情報送信手段として機能し、テレビジョン受像機１００からの要求に応じて現在の動作状態を示す動作状態情報の送信を行う。
【００１９】
ＨＤＭＩセレクタ３００は、２つのＨＤＭＩ入力端子３０１と、１つのＨＤＭＩ出力端子３０２とを有している。
ＨＤＭＩセレクタ３００は、ＨＤＭＩ入力端子３０１ａを介してＣＤプレーヤ４００とＨＤＭＩ通信接続され、ＨＤＭＩ入力端子３０１ｂを介してＤＶＤプレーヤ５００とＨＤＭＩ通信接続されている。そして、ＨＤＭＩセレクタ３００は、ＨＤＭＩ出力端子３０２を介してＡＶアンプ２００にＨＤＭＩ通信接続されている。
このようにして構成されたＨＤＭＩセレクタ３００は、ユーザによって図示しない操作部にて選択操作が行われることにより、選択されたＨＤＭＩ入力端子３０１からの映像・音声データの入力を許可する。そして、ＨＤＭＩセレクタ３００は、信号送信手段として機能して、入力した映像・音声データをＨＤＭＩ出力端子３０２を介してＡＶアンプ２００に出力する。
また、ＨＤＭＩセレクタ３００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＨＤＭＩセレクタ３００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＨＤＭＩセレクタ３００は、後述するように、動作状態情報送信手段として機能し、テレビジョン受像機１００からの要求に応じて現在の動作状態を示す動作状態情報の送信を行う。
【００２０】
ＣＤプレーヤ４００は、ＣＤ等の記録媒体に記録された記録情報から音声データを読み出し、外部に出力するものである。本実施の形態に係るＣＤプレーヤ４００は、図示しないＨＤＭＩ端子を備えており、読み出した音声データをＨＤＭＩ規格のデジタル信号に変換し、信号送信手段として機能してＨＤＭＩセレクタ３００に出力する。そして、ＨＤＭＩセレクタ３００に出力された音声データは、ＡＶアンプ２００やテレビジョン受像機１００に送信されることにより、ＡＶアンプ２００やテレビジョン受像機１００にて、記録媒体に記録された音声データに基づく音声の出力が行われる。
ＣＤプレーヤ４００は、ＣＤプレーヤ用リモコン４０１を備えている。
ＣＤプレーヤ用リモコン４０１は、ユーザがＣＤプレーヤ４００本体に対して各種指示を入力するための複数のキーを備える。
ＣＤプレーヤ用リモコン４０１に備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、ユーザがＣＤプレーヤ４００本体の前面パネルに設けられた図示しないリモコン受信部において受信される。
また、ＣＤプレーヤ４００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＣＤプレーヤ４００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＣＤプレーヤ４００は、後述するように、動作状態情報送信手段として機能し、テレビジョン受像機１００からの要求に応じて現在の動作状態を示す動作状態情報の送信を行う。
【００２１】
ＤＶＤプレーヤ５００は、ＣＤ−ＲＯＭまたはＤＶＤ−ＲＯＭ等の記録媒体に記録された記録情報から映像・音声データを読み出し、外部に出力するものである。本実施の形態に係るＤＶＤプレーヤ５００は、図示しないＨＤＭＩ端子を備えており、読み出した映像・音声データをＨＤＭＩ規格のデジタル信号に変換し、信号送信手段として機能してＨＤＭＩセレクタ３００に出力する。そして、ＨＤＭＩセレクタ３００に出力された映像・音声データは、ＡＶアンプ２００を介してテレビジョン受像機１００に送信されることにより、テレビジョン受像機１００及びＡＶアンプ２００にて、記録媒体に記録されたコンテンツの視聴が可能となっている。
また、ＤＶＤプレーヤ５００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＤＶＤプレーヤ５００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＤＶＤプレーは５００は、後述するように、動作状態情報送信手段として機能し、テレビジョン受像機１００からの要求に応じて現在の動作状態を示す動作状態情報の送信を行う。
【００２２】
ＢＤレコーダ６００は、図示しないアンテナを介して受信したデジタル放送データを所定の処理により変換し、図示しない記録媒体としてのハードディスクに記録することにより録画を行うことができる。また、ＢＤレコーダ６００は、ハードディスクに記録された映像・音声データを図示しない記録媒体としてのブルーレイディスクに記録することができる。ＢＤレコーダ６００は、図示しないＨＤＭＩ端子を備えており、ハードディスクまたはブルーレイディスクから読み出した映像・音声データをＨＤＭＩ規格のデジタル信号に変換し、信号送信手段として機能してＡＶアンプ２００を介してテレビジョン受像機１００に出力することにより、テレビジョン受像機１００及びＡＶアンプ２００にて、録画されたデジタル放送の視聴が可能となっている。また、ＢＤレコーダ６００は、ＣＤ−ＲＯＭ、ＤＶＤ−ＲＯＭ等の記録媒体を受け付け、この記録媒体に記録された映像・音声データを読み出してＨＤＭＩ規格のデジタル信号に変換し、ＡＶアンプ２００を介してテレビジョン受像機１００に送信することにより、テレビジョン受像機１００及びＡＶアンプ２００にて、記録媒体に記録されたコンテンツを視聴することもできる。
また、ＢＤレコーダ６００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＢＤレコーダ６００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＢＤレコーダ６００は、後述するように、動作状態情報送信手段として機能し、テレビジョン受像機１００からの要求に応じて現在の動作状態を示す動作状態情報の送信を行う。
【００２３】
ＳＴＢ７００は、例えば、図示しないアンテナを介して受信した衛星放送等の放送データを所定の処理により変換し、外部出力を行うものである。ＳＴＢ７００は、図示しないＨＤＭＩ端子を備えており、変換された放送データをＨＤＭＩ規格のデジタル信号に変換し、信号送信手段として機能してＡＶアンプ２００を介してテレビジョン受像機１００に出力することにより、テレビジョン受像機１００及びＡＶアンプ２００にて、放送の視聴が可能となっている。
また、ＳＴＢ７００は、図示しない電源制御回路によって電源のオン／オフを行うとともに、電源コマンド受信手段として機能してテレビジョン受像機１００から後述する「System Standby」コマンドが自機宛に送信されてこれを受信すると、電源をオフする制御を行う。
また、ＳＴＢ７００は、後述する機器情報（ロジカルアドレス）が予め設定されており、そして、機器信号送信手段として機能し、例えば、本実施形態に係るＡＶシステムのネットワーク上に接続されたときに自機の機器情報の出力を行う。
また、ＳＴＢ７００は、後述するように、動作状態情報送信手段として機能し、テレビジョン受像機１００からの要求に応じて現在の動作状態を示す動作状態情報の送信を行う。
【００２４】
以上のように構成されたＡＶシステムでは、ＨＤＭＩ接続によって、各機器間でＨＤＭＩ規格に含まれるＣＥＣ（Consumer Electronics Control）コマンドの送受信が可能となっている。ＣＥＣコマンドは、所定のＣＥＣプロトコルによる制御データである。
なお、本実施の形態では、後述するようにＡＶシステムのネットワークを構成する機器のそれぞれについてロジカルアドレスが設定されており、ネットワーク上における特定の機器に対して特定の制御データの送信が可能となっている。
また、機器がネットワーク上に接続されると、後述する物理アドレスが設定され、当該ネットワークに接続された機器の階層を特定することができる。また、この物理アドレスに基づく制御データの送信も可能となっている。
【００２５】
次に、図２を参照しながら、本発明の実施の形態のＡＶシステムに組み込まれるテレビジョン受像機１００の要部構成について説明する。
【００２６】
本実施形態のデジタルテレビジョン受像機１００の本体部１は、図２に示すように、チューナ１１と、信号処理部１２と、電源部１３と、ＨＤＭＩインターフェース部１４と、ＨＤＭＩ信号処理部１５と、操作部１７と、制御部１８と、リモコン受信部１９とを備えており、各部はバス等により接続されている。また、本体部１は、信号処理部１２やＨＤＭＩ信号処理部１５と接続する出力部１６を備えている。
【００２７】
チューナ１１は、制御部１８から入力される制御信号に従って、例えば、ユーザによる操作部１７の操作により選択された一の番組に関するテレビジョン放送信号を、テレビジョン放送波から受信する。
具体的には、チューナ１１は、例えば、アンテナ１１ａにより受信されたテレビジョン放送波（例えば、デジタル方式のテレビジョン放送波）から、ユーザ所望の番組のチャンネルに対応する周波数帯域に存在するテレビジョン放送信号を受信し、そして、当該受信したテレビジョン放送信号を変調して信号処理部１２に出力する。
【００２８】
信号処理部１２は、制御部１８から入力される制御信号に従って、例えば、チューナ１１から入力されたテレビジョン放送信号に所定の処理を施して、当該テレビジョン放送信号から、映像データと、音声データと、等を分離し、当該映像データをデコードして出力部１６の映像表示部１６１（後述）に出力するとともに、当該音声データをデコードして出力部１６の音声出力部１６２（後述）に出力する。
【００２９】
電源部１３は、例えば、テレビジョン受像機１００を構成する各部に電源を供給するためのものである。
【００３０】
ＨＤＭＩインターフェース部１４は、例えば、信号受信手段として機能してＡＶアンプ２００との間で映像・音声データ受信したり、機器信号受信手段として機能して後述する機器信号を受信したり、電源コマンド送信手段として機能して制御部１８からの要求に応じて電源オフコマンドを送信したりするなど、各種情報の送受信を行う。
また、ＨＤＭＩインターフェース部１４は、さらに、動作状態情報受信手段として機能して後述する外部機器の動作状態を示す動作状態情報を受信したり、動作コマンド送信手段として機能して制御部１８からの要求に応じて動作コマンドを送信したりする。
具体的には、ＨＤＭＩインターフェース部１４は、例えば、図２に示すように、複数のＨＤＭＩ入力端子１４ａ（例えば、第１ＨＤＭＩ入力端子１４ａ１，第２ＨＤＭＩ入力端子１４ａ２）と、通電切替部１４ｂと、等を備えて構成される。
【００３１】
なお、図２においては、第１ＨＤＭＩ入力端子１４ａ１がＡＶアンプ２００と接続しているが、この限りでなく、第２ＨＤＭＩ入力端子１４ａ２がＡＶアンプ２００と接続していてもよい。
また、図１及び図２において、本体部１は、１台のＡＶアンプ２００と接続しているが、例えば、ＡＶアンプ２００の他、第２ＨＤＭＩ入力端子１４ａ２に他の機器を接続するようにしてもよい。
【００３２】
通電切替部１４ｂは、制御部１８から入力される制御信号に従って、例えば、複数のＨＤＭＩ入力端子１４ａのそれぞれに対して、通電する状態（ＨｏｔＰｌｕｇをＯＮする状態）と、通電しない状態（ＨｏｔＰｌｕｇをＯＦＦする状態）と、を切り替える。
具体的には、通電切替部１４ｂは、例えば、第１ＨＤＭＩ入力端子１４ａ１と電源部１３との間の接続のＯＮ／ＯＦＦを切り替えることによって、第１ＨＤＭＩ入力端子１４ａ１に対してＨｏｔＰｌｕｇをＯＮする状態とＨｏｔＰｌｕｇをＯＦＦする状態とを切り替える。
また、通電切替部１４ｂは、例えば、第２ＨＤＭＩ入力端子１４ａ２と電源部１３との間の接続のＯＮ／ＯＦＦを切り替えることによって、第２ＨＤＭＩ入力端子１４ａ２に対してＨｏｔＰｌｕｇをＯＮする状態とＨｏｔＰｌｕｇをＯＦＦする状態とを切り替える。
【００３３】
ＨＤＭＩ信号処理部１５は、制御部１８から入力される制御信号に従って、例えば、第１ＨＤＭＩ入力端子１４ａ１又は第２ＨＤＭＩ入力端子１４ａ２から入力されたＨＤＭＩ規格のデジタル信号に所定の処理を施して、当該ＨＤＭＩ規格のデジタル信号から、映像データと、音声データと、等を分離し、当該映像データをデコードして出力部１６の映像表示部１６１（後述）に出力するとともに、当該音声データをデコードして出力部１６の音声出力部１６２（後述）に出力する。
【００３４】
出力部１６は、例えば、信号処理部１２やＨＤＭＩ信号処理部１５から入力されたデータを出力するためのものである。
具体的には、出力部１６は、例えば、図２に示すように、映像表示部１６１と、音声出力部１６２と、等を備えて構成される。
【００３５】
映像表示部１６１は、例えば、液晶表示機器等であり、信号処理部１２やＨＤＭＩ信号処理部１５から入力された映像データに基づく映像を表示する。
【００３６】
音声出力部１６２は、例えば、スピーカ機器等であり、信号処理部１２やＨＤＭＩ信号処理部１５から入力された音声データに基づく音声を出力する。
【００３７】
操作部１７は、例えば、操作手段として機能し、本体部１の外面に備えられた操作ボタン（図示省略）などから構成されており、ユーザにより操作されると、当該操作に伴う各種信号を制御部１８に出力する。
【００３８】
具体的には、操作部１７は、例えば、ユーザが本体部１の電源をオン／オフする際に操作される。
【００３９】
制御部１８は、例えば、図２に示すように、ＣＰＵ（Central Processing Unit）１８１と、ＲＡＭ（Random Access Memory）１８２と、記憶部１８３と、等を備えている。
【００４０】
ＣＰＵ１８１は、記憶部１８３に記憶されたテレビジョン受像機１００用の各種処理プログラムに従って各種の制御動作を行う。
また、ＣＰＵ１８１は、電源が投入されると、記憶部１８３から後述する接続機器登録プログラム１８３ａを読み出し、ネットワーク上に接続された外部機器の登録を行う。
また、ＣＰＵ１８１は、後述するように、電源操作対象設定手段として機能してユーザによる電源操作によって電源をオフにする外部機器の設定を行う。
また、ＣＰＵ１８１は、後述するように、外部機器選択手段として機能してＨＤＭＩ通信接続された複数の外部機器から何れかの選択を行う。
また、ＣＰＵ１８１は、後述するように、動作状態特定手段として機能して外部機器の動作状態の特定を行う。
また、ＣＰＵ１８１は、後述するように、指示内容選択手段として機能して外部機器の動作状態に応じて選択可能な動作指示内容の選択を行う。
また、ＣＰＵ１８１は、後述するように、選択可能情報出力制御手段として機能して外部機器の動作状態に応じて選択された動作指示内容を示す情報をユーザに対して認識可能に出力する制御を行う。具体的には、映像表示部１６１に選択された動作指示内容の表示を行う。
また、ＣＰＵ１８１は、後述するように、指示内容決定手段として機能して、ユーザの操作によって何れかの動作指示内容に決定する。
【００４１】
ＲＡＭ１８２は、ＣＰＵ１８１によって実行される処理プログラムなどを展開するためのプログラム格納領域や、入力データや上記処理プログラムが実行される際に生じる処理結果などを格納するデータ格納領域などを備える。
【００４２】
記憶部１８３は、テレビジョン受像機１００で実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形で記憶部１８３に記憶されている。
具体的には、記憶部１８３は、例えば、接続機器登録プログラム１８３ａを記憶している。
また、記憶部１８３には、後述する外部機器情報記憶手段としての接続機器テーブル、状態情報記憶手段としての動作状態テーブル及び指示内容記憶手段としての動作指示選択テーブルが記憶されている。
【００４３】
以上のように構成されたテレビジョン受像機１００における接続機器登録処理について、図３を参照しながら説明する。接続機器登録処理は、ＣＰＵ１８１が記憶部１８３に記憶された接続機器登録プログラム１８３ａを読み出すことにより実行される処理である。
接続機器登録プログラム１８３ａは、テレビジョン受像機１００の本体部１の電源が投入されたときに記憶部１８３から読み出されるプログラムである。
【００４４】
ＣＰＵ１８１は、図３に示されるように、ネットワーク上の全ての機器に対して情報の取得ができるように自機の機器情報（ロジカルアドレスデータ）をブロードキャスト送信する（ステップＳ１００）。
【００４５】
次に、ＣＰＵ１８１は、外部機器からの機器情報を受信したか否かを判定し（ステップＳ１０１）、機器情報を受信したと判定したときは（ステップＳ１０１：Ｙ）、記憶部１８３に設けられた接続機器テーブルの記憶内容を更新し（ステップＳ１０２）、ステップＳ１０１の処理を実行する。一方、ＣＰＵ１８１は、ステップＳ１０１において、機器情報を受信したと判定しなかったときは（ステップＳ１０１：Ｎ）、ステップＳ１０３の処理を実行する。
【００４６】
また、ＣＰＵ１８１は、ステップＳ１０３において、全ての機器情報を受信したか否かを判定し（ステップＳ１０３）、全ての機器情報を受信したと判定したときは、この処理を終了し（ステップＳ１０３：Ｙ）、全ての機器情報を受信したと判定しないときは（ステップＳ１０３：Ｎ）、ステップＳ１０１の処理を実行する。
なお、全ての機器情報を受信したか否かについては、例えば、所定時間、機器情報を受信しないことを以て全ての機器情報を受信したと判定する。
【００４７】
次に、図４を参照しながら、接続機器登録処理において、作成される接続機器テーブルの記憶内容について説明する。
【００４８】
接続機器テーブルは、記憶部１８３に設けられており、ＣＥＣコマンドを送信する際に、送信先を特定したり、後述する電源オフ時の制御を行ったりするのに用いられる。
また、接続機器テーブルに記憶される情報は、図３において示される接続機器登録処理において、受信する機器情報に基づいて生成される。
【００４９】
ロジカルアドレスは、各機器それぞれについて、０〜１５のアドレスの何れかがカテゴリーに従ってあらかじめ定義されており、当該ネットワーク上において、どのロジカルアドレスにどの機器が対応しているかについて共有して認識されるものである。このロジカルアドレスは、複数の機器が同一のアドレスになることはなく、接続機器テーブルに既に登録されているロジカルアドレスと同一のロジカルアドレスが定義されている機器がネットワーク上に接続された場合には、予備のロジカルアドレスを自己の機器のロジカルアドレスとして接続機器テーブルに登録されることとなる。ロジカルアドレスの取得は、例えば、ネットワーク上に機器が接続された際、あるいは、機器の電源が投入された際に行われる。
このように、ロジカルアドレスは、機器毎に唯一のアドレスが割り当てられているので、特定の機器を指定してＣＥＣコマンドを送信することが可能である。
【００５０】
物理アドレスは、５階層のアドレスを持ち、同一階層における唯一番号ｎから構成され、“ｎ．ｎ．ｎ．ｎ”のように表される。そして、テレビジョン受像機１００に直接接続された機器の階層を第１階層とした場合、この第１階層の機器に接続された機器が第２階層となり、テレビジョン受像機１００から離れるに従って階層番号が増えるように表される。
【００５１】
例えば、本実施の形態では、テレビジョン受像機１００は、“０．０．０．０”の物理アドレスを持ち、テレビジョン受像機１００に直接接続されるＡＶアンプ２００は“１．０．０．０”である。そして、ＡＶアンプ２００には３台の機器が接続されているので、１台目の機器であるＨＤＭＩセレクタ３００の物理アドレスは“１．１．０．０”であり、２台目の機器であるＢＤレコーダ６００は“１．２．０．０”であり、３台目の機器であるＳＴＢ７００は“１．３．０．０”である。
さらに、ＨＤＭＩセレクタ３００には、２台の機器が接続されているので、１台目の機器であるＣＤプレーヤ４００の物理アドレスは“１．１．１．０”であり、２台目の機器であるＤＶＤプレーヤ５００は“１．１．２．０”である。
【００５２】
このように、機器毎に物理アドレスが特定されることで、特定の機器を指定してＣＥＣコマンドを送信することが可能である。
なお、物理アドレスは、機器がネットワーク上に接続されたときに定められ、ネットワーク上において共有して認識される。
【００５３】
電源設定１及び電源設定２は、後述する電源設定において、電源オフ操作時に、一度の操作で電源をオフにする機器を決定するために用いられる。
【００５４】
以上のように構成された、本実施の形態に係るＡＶシステムにおいて、図５〜図８を参照しながら、電源オフ操作の際の各機器の動作について説明する。なお、以下の説明において、ＡＶシステム上に構成される各機器における電源オフの状態とは、ＣＥＣコマンドの送受信やリモコン操作の受付等が可能なシステムスタンバイ状態とする。また、この動作において、既に電源がオフとなっている機器については、特に電源の操作は行われず、コマンドの送受信のみ行うものとする。
【００５５】
まず、ユーザによって全ての機器の電源をオフにする操作が行われたときにおける各機器の動作について、図５を参照しながら説明する。
【００５６】
テレビジョン受像機１００のＣＰＵ１８１は、図５に示されるように、ユーザによる電源オフ操作が行われると（ステップＳ１０）、図９（ａ）に示されるような電源オフメニューを映像表示部１６１に表示する（ステップＳ１１）。
ここで、電源オフメニューの表示が、通常の電源操作によるものに限らず、特定の操作によって行われるようにしてもよい。例えば、通常の電源ボタンとは異なる特定の電源ボタンの操作や、電源ボタンの長押しなどが適用できる。
そして、ＣＰＵ１８１は、ユーザによって「全ての機器の電源を切る」が選択されると（ステップＳ１２）、ＨＤＭＩ入力端子１４ａよりＣＥＣ信号線を介して「System Standby」コマンドをブロードキャスト送信した後（ステップＳ１３）、テレビジョン受像機１００の本体部１の電源をオフにする（ステップＳ１４）。
【００５７】
ＡＶアンプ２００は、テレビジョン受像機１００からＨＤＭＩ端子２０２ａよりＣＥＣ信号線を介して「System Standby」コマンドを受信すると、このコマンドをＨＤＭＩ端子２０２ｂ、２０２ｃ、２０２ｄよりＣＥＣ信号線を介して、ＨＤＭＩセレクタ３００、ＢＤレコーダ６００及びＳＴＢ７００に送信した後（ステップＳ１５、Ｓ１６）、ＡＶアンプ２００の電源をオフにする。
【００５８】
ＨＤＭＩセレクタ３００は、ＡＶアンプ２００からＨＤＭＩ出力端子３０２よりＣＥＣ信号線を介して「System Standby」コマンドを受信すると、このコマンドをＨＤＭＩ入力端子３０１ａ、３０１ｂよりＣＥＣ信号線を介して、ＣＤプレーヤ４００及びＤＶＤプレーヤ５００に送信した後（ステップＳ１７、Ｓ１８）、ＨＤＭＩセレクタ３００の電源をオフにする。
【００５９】
ＣＤプレーヤ４００及びＤＶＤプレーヤ５００は、それぞれ、ＨＤＭＩセレクタ３００より「System Standby」コマンドを受信すると、電源をオフにする。
【００６０】
一方、ＢＤレコーダ６００及びＳＴＢ７００は、それぞれ、ＡＶアンプ２００より「System Standby」コマンドを受信すると、電源をオフにする。
【００６１】
以上のようにして、ユーザがテレビジョン受像機１００において電源オフ操作が行われ、「全ての機器の電源を切る」が選択された場合には、ＡＶシステム全体の機器の電源がオフとなる。
【００６２】
次に、ユーザによってオーディオ系以外の機器の電源をオフにする操作が行われたときにおける各機器の動作について、図６を参照しながら説明する。
【００６３】
テレビジョン受像機１００のＣＰＵ１８１は、図６に示すように、ユーザによる電源オフ操作が行われると（ステップＳ２１）、図９（ａ）に示されるような電源オフメニューを映像表示部１６１に表示する（ステップＳ２２）。
そして、ＣＰＵ１８１は、ユーザによって「オーディオ系以外の機器の電源を切る」が選択されると（ステップＳ２３）、接続機器テーブルを参照し、オーディオ系機器以外の機器を特定する。
ここで、オーディオ系機器に対応するロジカルアドレスは５、１０及び１１となっており、それ以外のロジカルアドレスに対応するテレビジョン受像機１００、ＤＶＤプレーヤ５００、ＢＤレコーダ６００及びＳＴＢ７００はオーディオ系機器でないため、これらの機器が電源オフの対象となる。
次に、ＣＰＵ１８１は、ＨＤＭＩ入力端子１４ａよりＣＥＣ信号線を介して、送信先をＤＶＤプレーヤ５００、ＢＤレコーダ６００及びＳＴＢ７００に指定して「System Standby」コマンドを送信した後（ステップＳ２４）、テレビジョン受像機１００の本体部１の電源をオフにする（ステップＳ２５）。
【００６４】
ＡＶアンプ２００は、テレビジョン受像機１００からＨＤＭＩ端子２０２ａよりＣＥＣ信号線を介して「System Standby」コマンドを受信すると、このコマンドをＨＤＭＩ端子２０２ｂ、２０２ｃ、２０２ｄよりＣＥＣ信号線を介して、ＨＤＭＩセレクタ３００、ＢＤレコーダ６００及びＳＴＢ７００に送信する（ステップＳ２６、Ｓ２７）。なお、ＡＶアンプ２００は、オーディオ系機器であり、「System Standby」コマンドの送信先に指定されていないため、コマンドの送信を行うのみで電源をオフしない。
【００６５】
ＨＤＭＩセレクタ３００は、ＡＶアンプ２００からＨＤＭＩ出力端子３０２よりＣＥＣ信号線を介して「System Standby」コマンドを受信すると、このコマンドをＨＤＭＩ入力端子３０１ｂよりＣＥＣ信号線を介してＤＶＤプレーヤ５００に送信する（ステップＳ２８）。なお、ＨＤＭＩセレクタ３００は、オーディオ系機器であり、「System Standby」コマンドの送信先に指定されていないため、コマンドの送信を行うのみで電源をオフしない。また、ＣＤプレーヤ４００はオーディオ系機器であるため、ＨＤＭＩセレクタ３００は、ＣＤプレーヤ４００へのコマンドの送信は行わない。
【００６６】
ＤＶＤプレーヤ５００は、ＨＤＭＩセレクタ３００より「System Standby」コマンドを受信すると、電源をオフにする。
【００６７】
一方、ＢＤレコーダ６００及びＳＴＢ７００は、それぞれ、ＡＶアンプ２００より「System Standby」コマンドを受信すると、電源をオフにする。
【００６８】
以上のようにして、ユーザがテレビジョン受像機１００において電源オフ操作が行われ、「オーディオ系以外の機器の電源を切る」が選択された場合には、オーディオ系機器の電源オンの状態が維持される一方、オーディオ系以外の機器の電源がオフとなる。
【００６９】
次に、ユーザによって特定の機器の電源をオフにする操作が行われたときにおける各機器の動作について、図７を参照しながら説明する。
【００７０】
テレビジョン受像機１００のＣＰＵ１８１は、図７に示すように、ユーザによる電源オフ操作が行われると（ステップＳ３１）、図９（ａ）に示されるような電源オフメニューを映像表示部１６１に表示する（ステップＳ３２）。
そして、ＣＰＵ１８１は、ユーザによって「指定する機器の電源を切る」が選択されると、図９（ｂ）に示されるような選択画面を表示する。そして、ユーザが電源を切る機器の対象として「ＣＤプレーヤ」と「ＤＶＤプレーヤ」とが選択されると（ステップＳ３３）、接続機器テーブルを参照し、ＣＤプレーヤ４００に対応するロジカルアドレス「１１」及びＤＶＤプレーヤ５００に対応するロジカルアドレス「４」を特定する。なお、ここで、電源を切る機器の対象として１つのみ、あるいは、３つ以上選択することもできる。
次に、ＣＰＵ１８１は、ＨＤＭＩ入力端子１４ａよりＣＥＣ信号線を介して、送信先をロジカルアドレス「１１」であるＣＤプレーヤ４００及びロジカルアドレス「４」であるＤＶＤプレーヤ５００に指定して「System Standby」コマンドを送信する（ステップＳ３４）。なお、テレビジョン受像機１００は電源オフに指定された機器ではないので、ＣＰＵ１８１はコマンドの送信を行うのみで電源をオフしない。
【００７１】
ＡＶアンプ２００は、テレビジョン受像機１００からＨＤＭＩ端子２０２ａよりＣＥＣ信号線を介して「System Standby」コマンドを受信すると、このコマンドをＨＤＭＩ端子２０２ｂよりＣＥＣ信号線を介して、ＨＤＭＩセレクタ３００に送信する（ステップＳ３５）。なお、ＡＶアンプ２００は、「System Standby」コマンドの送信先に指定されていないため、コマンドの送信を行うのみで電源をオフしない。また、ＢＤレコーダ６００及びＳＴＢ７００は「System Standby」コマンドの送信先に指定されていないため、ＢＤレコーダ６００及びＳＴＢ７００へのコマンドの送信は行われない。
【００７２】
ＨＤＭＩセレクタ３００は、ＡＶアンプ２００からＨＤＭＩ出力端子３０２よりＣＥＣ信号線を介して「System Standby」コマンドを受信すると、このコマンドをＨＤＭＩ入力端子３０１ａよりＣＥＣ信号線を介してＣＤプレーヤ４００に送信するとともに（ステップＳ３６）、ＨＤＭＩ入力端子３０１ｂよりＣＥＣ信号線を介してＤＶＤプレーヤ５００に送信する（ステップＳ３７）。なお、ＨＤＭＩセレクタ３００は、「System Standby」コマンドの送信先に指定されていないため、コマンドの送信を行うのみで電源をオフしない。
【００７３】
ＣＤプレーヤ４００及びＤＶＤプレーヤ５００は、ＨＤＭＩセレクタ３００より「System Standby」コマンドを受信すると、電源をオフにする。
【００７４】
以上のようにして、ユーザがテレビジョン受像機１００において電源オフ操作が行われ、「指定する機器の電源を切る」が選択された場合には、指定された機器のみ電源がオフとなる一方、それ以外の機器については電源オンの状態が維持される。
【００７５】
次に、ユーザがＣＤプレーヤ用リモコン４０１によって電源をオフにする操作が行われたときにおける各機器の動作について、図８を参照しながら説明する。
【００７６】
ＣＤプレーヤ４００は、図８に示されるように、ユーザによってＣＤプレーヤ用リモコン４０１のシステム電源オフ（System Power Down）操作が行われると（ステップＳ４１）、ＨＤＭＩセレクタ３００に対し、ＣＥＣ信号線を介して、送信先がテレビジョン受像機１００である「System Power Down」コマンドを送信する（ステップＳ４２）。
【００７７】
ＨＤＭＩセレクタ３００は、ＣＤプレーヤ４００からＨＤＭＩ入力端子３０１ａよりＣＥＣ信号線を介して「System Power Down」コマンドを受信すると、このコマンドをＨＤＭＩ出力端子３０２よりＣＥＣ信号線を介してＡＶアンプ２００に送信する（ステップＳ４３）。
【００７８】
ＡＶアンプ２００は、ＨＤＭＩセレクタ３００からＨＤＭＩ端子２０２ｂよりＣＥＣ信号線を介して「System Power Down」コマンドを受信すると、このコマンドをＨＤＭＩ端子２０２ａよりＣＥＣ信号線を介して、テレビジョン受像機１００に送信する（ステップＳ４４）。
【００７９】
テレビジョン受像機１００のＣＰＵ１８１は、ＡＶアンプ２００からＨＤＭＩ入力端子１４ａよりＣＥＣ信号線を介して「System Power Down」コマンドを受信すると、図９（ａ）に示されるような電源オフメニューを映像表示部１６１に表示する（ステップＳ４５）。
そして、ＣＰＵ１８１は、ユーザによって「オーディオ系以外の機器の電源を切る」が選択されると（ステップＳ４６）、接続機器テーブルを参照し、上述したようにオーディオ系以外の機器を特定する。
以下の動作については、図６に示されるものと同様であるため、説明を省略する。
【００８０】
以上のようにして、ユーザがＣＤプレーヤ４００において電源をオフにする操作が行われ、テレビジョン受像機１００において「オーディオ系以外の機器の電源を切る」が選択された場合には、オーディオ系の機器の電源オンの状態が維持される一方、オーディオ系以外の機器の電源がオフとなる。
【００８１】
図９は、ユーザがテレビジョン受像機１００のＴＶリモコン２又は操作部１７によって電源オフの操作が行われたときに映像表示部１６１に表示される画面を表している。
【００８２】
ユーザにより電源オフの操作が行われ、図９（ａ）に示すような画面（電源オフメニュー画面）が映像表示部１６１に表示されたのち、ユーザによって、例えば、ＴＶリモコン２の方向キーを操作することにより、カーソルを移動させることができる。この画面では、カーソルは項目の網掛けによって表されている。
そして、ユーザの所望とする項目にカーソルを合わせた後、ＴＶリモコン２の決定キーの操作が行われると、選択された項目に対応する電源オフ制御が上述したように行われる。
【００８３】
この電源オフメニュー画面で選択可能な項目は次の通りである。すなわち、「テレビの電源を切る」は、テレビジョン受像機１００の本体部１の電源をオフにしてＴＶリモコン２の電源オン操作を受付可能なスタンバイ状態に制御するための項目である。また、「全ての機器の電源を切る」は図５に示される動作を行うための項目である。また、「オーディオ系以外の機器の電源を切る」は、図６に示される動作を行うための項目である。また、「設定１の機器の電源を切る」は、後述する電源設定においてカテゴライズされた機器の電源をオフにするための項目であって、この項目が選択されると、例えば、図４に示されるように、接続機器テーブルが参照されて電源設定１の項目についてフラグがセットされている機器に対し、上述した要領で、ＣＥＣ信号線を介して「System Standby」コマンドを送信する。また、「指定する機器の電源を切る」は、ユーザの所望とする機器の電源をオフするための項目であって、この項目が選択されると、さらに図９（ｂ）に示すような画面が映像表示部１６１に表示される。そして、図９（ｂ）に示された項目から１又は複数の項目が選択された後「決定」が選択されると、例えば、図７に示される動作が行われる。
なお、ここに表示される項目は上述したものに限らず、適宜設定することができる。
【００８４】
次に、図１０〜図１１を参照して、一度の操作で電源をオフにする機器を設定するための動作について説明する。
【００８５】
テレビジョン受像機１００は、ユーザによりＴＶリモコン２又は操作部１７における所定の操作が行われると、映像表示部１６１に図１０（ａ）に示されるような電源設定メニュー画面を表示する。
【００８６】
電源設定メニューでは、一度の操作で電源をオフにする機器の組み合わせをユーザの好みにより最大２種類設定ができるようになっている。なお、設定数は２つに限定されず、１つのみであってもよく、また、３つ以上であってもよい。
テレビジョン受像機１００のＣＰＵ１８１は、映像表示部１６１に、例えば、図１０（ａ）に示されるような画像を表示し、ユーザがＴＶリモコン２の方向キーを操作することによりカーソルを移動させ、決定キーにより「設定１」及び「設定２」の何れかを選択させるように制御する。
そして、ＣＰＵ１８１は、例えば、ユーザによって「設定１」が選択されると、映像表示部１６１に図１０（ｂ）に示されるような画像を表示し、ユーザがＴＶリモコン２の方向キーを操作することによりカーソルを移動させ、決定キーにより一度の操作で電源をオフにする機器を１つ又は複数選択させるように制御する。
そして、ＣＰＵ１８１は、画面右下部に表示された「決定」を選択することにより、「設定１」における電源オフに関する設定が完了し、図１１（ｃ）に示されるような確認画面を映像表示部１６１に表示する。
ここでは、電源オフ操作がなされた後、電源オフメニューにおいて「設定１機器の電源を切る」という項目が選択された場合に、ＤＶＤプレーヤ５００及びＳＴＢ７００の電源がオフにされるように設定されている。
【００８７】
次に、ユーザが、ＴＶリモコン２に設けられたシステムコントロール開始ボタンを操作したときにおける各機器の動作について図１２〜図１６を参照しながら説明する。なお、各機器の現在の動作状態は、図１３に示す通りである。
【００８８】
以下、図１２を参照して、テレビジョン受像機１００がネットワーク上に接続された外部機器の動作状態を取得し、外部機器に対して動作指示を行うための処理について説明する。なお、図１２では、テレビジョン受像機１００が、ＡＶアンプ２００、ＣＤプレーヤ４００、ＤＶＤプレーヤ５００及びＢＤレコーダ６００の動作状態を取得するための処理についてのみ示されているが、他の外部機器（例えば、ＨＤＭＩセレクタ３００及びＳＴＢ７００）についても同様の処理がなされるため、ＡＶアンプ２００、ＣＤプレーヤ４００、ＤＶＤプレーヤ５００及びＢＤレコーダ６００の動作状態を取得する等の処理についてのみ説明し、他の外部機器についてはその説明を省略する。
【００８９】
テレビジョン受像機１００のＣＰＵ１８１は、図１２に示されるように、ＴＶリモコン２のシステムコントロール（System Control）開始ボタンが押下されると、まず、ＨＤＭＩ入力端子１４ａよりＣＥＣ信号線を介して、送信先をＡＶアンプ２００に指定して、電源の状態を問い合わせるための「Give Device Power Status」コマンドを送信する（ステップＳ２０１）。なお、送信先については、例えば、図４に示される接続機器テーブルを参照することにより特定する。
ＡＶアンプ２００は、テレビジョン受像機１００からＨＤＭＩ端子２０２ａよりＣＥＣ信号を介して「Give Device Power Status」コマンドを受信すると、現在電源オン状態なので、その旨を示す「Report Power Status [On]」コマンドを、ＨＤＭＩ端子２０２ａよりＣＥＣ信号線を介し、送信先をテレビジョン受像機１００に指定して送信する（ステップＳ２０２）。
そして、ＣＰＵ１８１は、ＨＤＭＩ入力端子１４ａによって受信した「Report Power Status [On]」コマンドに基づいてＡＶアンプ２００の動作状態が電源オン状態である旨を記憶部１８３の動作状態テーブル（図１３参照）に更新記憶する。
ＡＶアンプ２００は、電源のオン及びオフ状態以外の動作状態において指示するコマンドはないので、テレビジョン受像機１００は、ＡＶアンプ２００に対しては、電源のオン・オフについてのみ問い合わせる。
【００９０】
次に、テレビジョン受像機１００のＣＰＵ１８１は、ＨＤＭＩ入力端子１４ａよりＣＥＣ信号線を介して、送信先をＣＤプレーヤ４００に指定して、ステップＳ２０１と同様に「Give Device Power Status」コマンドを送信する（ステップＳ２０３）。
ＣＤプレーヤ４００は、ＡＶアンプ２００及びＨＤＭＩセレクタ３００を経由して「Give Device Power Status」コマンドを受信すると、現在電源オフ状態なので、その旨を示す「Report Power Status [Standby]」コマンドを、送信先をテレビジョン受像機１００に指定して送信する（ステップＳ２０４）。
そして、ＣＰＵ１８１は、ＨＤＭＩ入力端子１４ａによって受信した「Report Power Status [Standby]」コマンドに基づいてＣＤプレーヤ４００の動作状態が電源オフ状態である旨を記憶部１８３の動作状態テーブルに更新記憶する。
ＣＤプレーヤ４００は、電源オフ状態なので、それ以外について問い合わせる必要がないため、ＣＰＵ１８１は、動作状態を問い合わせるコマンド等の送信を行わない。
【００９１】
次に、テレビジョン受像機１００のＣＰＵ１８１は、ＨＤＭＩ入力端子１４ａよりＣＥＣ信号線を介して、送信先をＤＶＤプレーヤ５００に指定して、ステップＳ２０１と同様に「Give Device Power Status」コマンドを送信する（ステップＳ２０５）。
ＤＶＤプレーヤ５００は、ＡＶアンプ２００及びＨＤＭＩセレクタ３００を経由して「Give Device Power Status」コマンドを受信すると、現在電源オン状態なので、その旨を示す「Report Power Status [On]」コマンドを、送信先をテレビジョン受像機１００に指定して送信する（ステップＳ２０６）。
そして、ＨＤＭＩ入力端子１４ａによってこのコマンドを受信したテレビジョン受像機のＣＰＵ１８１は、ＨＤＭＩ入力端子１４ａよりＣＥＣ信号線を介して、送信先をＤＶＤプレーヤ５００に指定して、現在の動作状態を問い合わせる「Give Deck Status [Once]」コマンドを送信する（ステップＳ２０７）。
そして、ＤＶＤプレーヤ５００は、ＡＶアンプ２００及びＨＤＭＩセレクタ３００を経由して「Give Deck Status [Once]」コマンドを受信すると、現在再生中なので、その旨を示す「Deck Status [Play]」コマンドを、送信先をテレビジョン受像機１００に指定して送信する（ステップＳ２０８）。
そして、ＣＰＵ１８１は、ＨＤＭＩ入力端子１４ａによって受信した「Deck Status [Play]」コマンドに基づいてＤＶＤプレーヤ５００の動作状態が再生状態である旨を記憶部１８３の動作状態テーブルに更新記憶する。
【００９２】
次に、テレビジョン受像機１００のＣＰＵ１８１は、ＨＤＭＩ入力端子１４ａよりＣＥＣ信号線を介して、送信先をＢＤレコーダ６００に指定して、ステップＳ２０１と同様に「Give Device Power Status」コマンドを送信する（ステップＳ２０９）。
ＢＤレコーダ６００は、ＡＶアンプ２００を経由して「Give Device Power Status」コマンドを受信すると、現在電源オン状態なので、その旨を示す「Report Power Status [On]」コマンドを、送信先をテレビジョン受像機１００に指定して送信する（ステップＳ２１０）。
そして、ＨＤＭＩ入力端子１４ａによってこのコマンドを受信したテレビジョン受像機のＣＰＵ１８１は、ＨＤＭＩ入力端子１４ａよりＣＥＣ信号線を介して、送信先をＢＤレコーダ６００に指定して、現在の動作状態を問い合わせる「Give Deck Status [Once]」コマンドを送信する（ステップＳ２１１）。
そして、ＢＤレコーダ６００は、ＡＶアンプ２００を経由して「Give Deck Status [Once]」コマンドを受信すると、現在録画中なので、その旨を示す「Deck Status [Record]」コマンドを、送信先をテレビジョン受像機１００に指定して送信する（ステップＳ２１２）。
そして、ＣＰＵ１８１は、ＨＤＭＩ入力端子１４ａによって受信した「Deck Status [Record]」コマンドに基づいてＢＤレコーダ６００の動作状態が録画状態である旨を記憶部１８３の動作状態テーブルに更新記憶する。
【００９３】
以上のようにして収集した外部機器の動作状態は、図１３に示されるように、テレビジョン受像機１００の記憶部１８３における動作状態テーブルに更新記憶される。そして、テレビジョン受像機１００のＣＰＵ１８１は、動作状態テーブルに記憶されたネットワーク上に接続した外部機器の動作状態に基づいて、映像表示部１６１に図１６に示されるようなシステムコントロールメニュー画像を表示させる。
【００９４】
システムコントロールメニューが表示されているときに、例えば、ユーザがＴＶリモコン２の方向キーを操作して、映像表示部１６１上に表示されたカーソルを「ＤＶＤプレーヤ」の項目に合わせると、当該項目の縁取りが他の項目よりも太く、背景色が変化するので、ユーザは、「ＤＶＤプレーヤ」にカーソルが示されていることが認識可能となる。
【００９５】
そして、ユーザがＴＶリモコン２の決定ボタンを操作すると、ＣＰＵ１８１は、図１７に示されるように、ＤＶＤプレーヤ５００に対して現在指示可能な項目を映像表示部１６１上に表示させる。
このときに映像表示部１６１に表示される項目は、記憶部１８３に記憶されている動作指示選択テーブル（図１４参照）の内容に基づいて決定され、具体的には、ネットワーク上に接続された外部機器とその動作状態によって決定される。
ここでは、ユーザによってＤＶＤプレーヤが選択されたので、ＣＰＵ１８１は、記憶部１８３に記憶されている動作状態テーブル（図１３参照）を参照して、動作状態テーブルの中からＤＶＤプレーヤ５００における現在の動作状態を検出する。ＣＰＵ１８１は、検出結果、ＤＶＤプレーヤの動作状態が再生中であると判定したため、図１４に示される動作指示選択テーブルにおいて該当するフィールドを参照する。
ここで、動作指示選択テーブルは予めフィールド毎に項目が定められており、動作指示選択テーブルのフィールド内に示された数字は、図１５に示されるリストに対応している。
すなわち、再生中のＤＶＤプレーヤに対して指示可能な項目は、「（再生の）停止」「電源ＯＦＦ」「入力切替」である。
なお、「入力切替」は、テレビジョン受像機１００の出力部１６に出力させる機器を当該選択された機器に切り替えることであり、この場合、ＤＶＤプレーヤ５００からの映像及び／又は音声を出力部１６から出力させるように入力系統を切り替えるものである。
そして、ユーザがＴＶリモコン２の方向キー及び決定ボタンを操作して、映像表示部１６１に表示された何れかの項目が選択されると、ＣＰＵ１８１は、選択された項目に対応するコマンドをＤＶＤプレーヤ５００に対して送信するコマンドとして決定する。そして、ＣＰＵ１８１は、決定したコマンドをＤＶＤプレーヤ５００を送信先として、ＨＤＭＩ入力端子１４ａよりＣＥＣ信号線を介してコマンドの送信を行う。ここでは、例えば、ユーザが「電源を切る」を選択することにより、ＤＶＤプレーヤ５００を送信先として「System Standby」コマンドを送信する（図１２：ステップＳ２１３）。
そして、ＤＶＤプレーヤ５００は、「System Standby」コマンドを受信すると、電源をオフにする制御を行う。
【００９６】
以上説明したように、本実施形態によれば、ＣＰＵ１８１は、外部機器から受信した動作状態情報に基づいて状態情報を記憶部１８３の動作状態テーブルに記憶する。記憶部１８３の動作指示選択テーブルには、外部機器の動作状態と、選択可能な動作指示内容とを対応付けて記憶する。ＣＰＵ１８１は、複数の外部機器から何れかが選択されると、記憶部１８３の記憶情報に基づいて当該外部機器の動作状態を特定する。そして、ＣＰＵ１８１は、特定された外部機器の動作状態に基づいて、記憶部１８３の動作指示選択テーブルに記憶された選択可能な動作指示を選択し、選択した動作指示内容をユーザに認識可能に出力する。ＣＰＵ１８１は、ＴＶリモコン２の操作により何れかの動作指示を決定し、選択された外部機器に対して選択された動作指示内容を示すコマンドをＨＤＭＩ入力端子１４により送信する。その結果、ユーザは、外部機器に対して現在の動作状態に対応する適切な動作指示を、出力された情報を参照しながら行うことができるので、外部機器に対する動作指示の操作性が向上する。
【００９７】
また、本実施形態によれば、ＣＰＵ１８１が選択した外部機器の動作状態に対応して選択された動作指示内容を映像表示部１６１などにより映像及び／又は音声にて出力するので、ユーザは外部機器の現在の動作状態に対応する適切な動作指示の内容についてより容易に認識することができる。
【００９８】
また、本実施形態によれば、ＨＤＭＩ入力端子１４によって外部機器を特定するための信号を受信し、その信号に基づいて動作指示内容が選択されるので、外部機器に応じた適切な動作指示の設定が可能となり、利便性が向上する。
【００９９】
また、本実施形態によれば、信号送信手段と、動作状態情報送信手段とを備える外部機器（ＡＶアンプ２００、ＨＤＭＩセレクタ３００、ＣＤプレーヤ４００、ＤＶＤプレーヤ５００、ＢＤレコーダ６００、ＳＴＢ７００）と、テレビジョン受像機１００とによってネットワークを構成する。テレビジョン受像機１００のＣＰＵ１８１は、外部機器から受信した動作状態情報に基づいて状態情報を記憶部１８３の動作状態テーブルに記憶する。記憶部１８３の動作指示選択テーブルには、外部機器の動作状態と、選択可能な動作指示内容とを対応付けて記憶する。ＣＰＵ１８１は、複数の外部機器から何れかが選択されると、記憶部１８３の記憶情報に基づいて当該外部機器の動作状態を特定する。そして、ＣＰＵ１８１は、特定された外部機器の動作状態に基づいて、記憶部１８３の動作指示選択テーブルに記憶された選択可能な動作指示を選択し、選択した動作指示内容をユーザに認識可能に出力する。ＣＰＵ１８１は、ＴＶリモコン２の操作により何れかの動作指示を決定し、選択された外部機器に対して選択された動作指示内容を示すコマンドをＨＤＭＩ入力端子１４により送信する。そして、外部機器は、受信した動作指示内容を示すコマンドに対応する動作を行う。その結果、ユーザは、外部機器に対して現在の動作状態に対応する適切な動作指示を、出力された情報を参照しながら行うことができるので、外部機器に対する動作指示の操作性が向上する。
【０１００】
なお、本実施の形態では、外部機器の種類を特定可能なロジカルアドレスを記憶し、これに基づいて電源オフを行う外部機器の設定を行ったが、外部機器の種類ではなく、外部機器そのものを特定する、例えば、型式情報を記憶するようにしてもよい。
【０１０１】
また、本実施の形態では、ユーザによる操作によって電源オフを行う外部機器の設定を可能にしているが、そのような機能を有していなくてもよい。
【０１０２】
また、本実施の形態では、ユーザによる電源オフを行う外部機器の設定において、選択可能な外部機器の表示、電源オフの対象の候補となった外部機器の表示、及び、電源オフの対象として決定された外部機器の表示を行ったが、何れか一部のみ表示するようにしてもよい。また、何れも表示しないようにしてもよい。
【０１０３】
また、本実施の形態では、電源オフを行う対象である外部機器を表示するようにしたが、表示しないようにしてもよい。
【０１０４】
また、本実施の形態では、一度の電源オフ操作によって電源オフを行う外部機器の組み合わせを複数種類設定可能にしているが、１種類のみ設定されるようにしてもよい。
【０１０５】
また、本実施の形態では、一度の電源オフ操作により複数の外部機器に対して電源オフの動作指示を可能に構成されているが、そのような機能を備えていなくてもよい。
【０１０６】
また、本発明に係るＡＶシステムのネットワーク上に接続される外部機器については、本実施形態において記載された機器に限らず、本発明の目的を達成できるような機器であれば何れのものについても適用することができる。
【０１０７】
また、本実施の形態では、出力装置として、映像及び音声の出力が可能なテレビジョン受像機１００を用いたが、映像及び音声の何れか一方のみ出力する機器、例えば、ＡＶアンプや画像表示装置を適用することもできる。
【０１０８】
また、本実施の形態では、テレビジョン受像機１００及びＣＤプレーヤ４００によって電源オフの操作を行うようにしたが、他の機器によって行うようにしてもよい。
【０１０９】
また、本実施の形態では、電源操作が行われたときにメニュー表示を行うようにしたが、メニュー表示を行わずに外部機器に対する電源オフの制御を行うようにしてもよい。
【０１１０】
また、本実施の形態では、一度の電源オフ操作によって電源オフを行う外部機器の設定を行うようにしたが、電源オフしない外部機器を設定し、電源オフ操作時には、設定されていない外部機器の電源をオフにする制御を行うようにしてもよい。
【０１１１】
また、本実施の形態では、映像表示部１６１に、テレビジョン受像機１００にＨＤＭＩ通信接続された外部機器の動作状態を表示し、選択した外部機器に対して選択可能な動作指示項目を表示するようにしたが、例えば、音声出力部１６２にて音声出力するようにしてもよい。また、出力部１６とは別途の出力手段を設け、これによって外部機器の動作状態等の出力を行ってもよく、例えば、ＬＥＤの発光によって報知するようにしてもよい。
【０１１２】
また、本実施の形態では、機器を特定する機器情報と動作状態を示す情報とに基づいて選択可能な動作指示項目を選択するようにしたが、外部機器の種類を問わず、動作状態のみによって動作指示項目を選択するようにしてもよい。
【０１１３】
また、本実施の形態において、動作指示選択テーブルは、テレビジョン受像機１００に予め記憶されているものを用いたが、ネットワークに接続された外部機器から動作指示内容を予め受信し、これをテーブル化して用いるようにしてもよい。また、例えば、メーカーより動作指示内容をダウンロードするようにしてもよい。
【０１１４】
また、本実施の形態では、動作指示を１台ずつ行うようにしたが、２台以上同時に動作指示を行うことができるようにしてもよい。
【０１１５】
また、本実施の形態において、テレビジョン受像機１００は、ＴＶリモコン２のシステムコントロールボタンが押下されたときに、ネットワーク上に接続された外部機器に動作状態の問い合わせをし、動作状態を取得するようにしたが、外部機器において動作状態が変化する毎に動作状態を示すコマンドを外部機器からテレビジョン受像機１００に送信するようにしてもよい。また、外部機器から一定時間毎に動作状態を示すコマンドをテレビジョン受像機１００に送信するようにしてもよい。
【０１１６】
また、本実施形態では、送信先が指定されていない外部機器に対してはコマンドを送信しないようにしているが、送信先が指定されていない外部機器に対してもコマンドを送信するようにしてもよく、この場合、送信先が指定されていない外部機器は受信したコマンドを無視するように制御する。
【符号の説明】
【０１１７】
１００  テレビジョン受像機（出力装置）
１  本体部
２  ＴＶリモコン（操作手段）
１４  ＨＤＭＩインターフェース部（信号受信手段、動作状態情報受信手段、動作コマンド送信手段、機器信号受信手段）
１４ａ  ＨＤＭＩ入力端子
１５  ＨＤＭＩ信号処理部
１６  出力部
１６１  映像表示部（出力手段）
１６１  音声出力部
１７  操作部（操作手段）
１８  制御部
１８１  ＣＰＵ（外部機器選択手段、動作状態特定手段、指示内容選択手段、選択可能情報出力制御手段、指示内容決定手段）
１８３  記憶部（状態情報記憶手段、指示内容記憶手段）
２００  ＡＶアンプ（外部機器）
３００  ＨＤＭＩセレクタ（外部機器）
４００  ＣＤプレーヤ（外部機器）
５００  ＤＶＤプレーヤ（外部機器）
６００  ＢＤレコーダ（外部機器）
７００  ＨＤＤレコーダ（外部機器）
【図１】
2011061487.tif 000003
【図２】
2011061487.tif 000004
【図３】
2011061487.tif 000005
【図４】
2011061487.tif 000006
【図５】
2011061487.tif 000007
【図６】
2011061487.tif 000008
【図７】
2011061487.tif 000009
【図８】
2011061487.tif 000010
【図９】
2011061487.tif 000011
【図１０】
2011061487.tif 000012
【図１１】
2011061487.tif 000013
【図１２】
2011061487.tif 000014
【図１３】
2011061487.tif 000015
【図１４】
2011061487.tif 000016
【図１５】
2011061487.tif 000017
【図１６】
2011061487.tif 000018
【図１７】
2011061487.tif 000019